(57)【要約】      （修正有）【課題】点検員が不慣れな装置でも、容易に故障部位を特定可能な点検システムを得る。【解決手段】ネットワークを介して点検サーバ３との間で点検に関わる情報を通信する点検用端末１を備え、それぞれ対応する装置の動作状態の自己測定結果が発光素子により表示される複数の配電盤と、各配電盤を固有の識別情報により管理して情報処理を行うデータベース手段３１に記憶している配電盤の識別情報と点検用端末１から受信する位置情報とを照合して受信する画像情報が送信された配電盤を特定すると共に、画像情報から発光素子の点滅状態を抽出判読し、その判読結果とデータベース手段３１が予め履歴データとして記憶している発光素子の点滅状態と配電盤に対応した動作状態との関係とを比較照合し、異常と判定する場合、履歴データから統計的方法により異常原因の判定を行い故障部位の判定結果、又は故障部位の候補に関わる情報を生成して点検用端末１に送信する。【選択図】図１
2010165321.tif 000002
【特許請求の範囲】
【請求項１】
ネットワークを介して点検サーバとの間で点検に関わる情報を通信する点検用端末と、前記点検に関わる情報を送受信して、配電盤の点検に関わる情報処理を行う点検サーバとを備えて事業場内に設置される装置のそれぞれに対応して監視制御を行う複数の配電盤を点検する配電盤点検システムにおいて、
前記点検用端末は、
それぞれ対応する前記装置の動作状態の自己測定結果が発光素子により表示される配電盤と、
位置情報取得手段と、
画像撮影手段と、
前記点検サーバとの間で前記情報を通信する通信手段と、
入出力手段とを備え、
前記位置情報取得手段で取得した位置情報と、前記画像撮影手段により撮影された配電盤の画像情報とを前記通信手段により前記点検サーバへ送信するものであり、
前記点検サーバは、
画像認識手段と、
前記各配電盤をそれぞれ固有の識別情報により管理して情報処理を行うデータベース手段と、
前記点検用端末から受信する位置情報と、前記データベース手段に記憶している前記固有の配電盤の識別情報を照合して受信する前記画像情報が送信された配電盤を特定すると共に、前記画像情報から前記画像認識手段により当該配電盤の発光素子の点滅状態を抽出判読し、その判読結果と前記データベース手段が予め履歴データとして記憶している発光素子の点滅状態と前記配電盤に対応した動作状態との関係とを比較照合し、異常と判定する場合、その点滅状態から一義的に異常原因を特定できなくとも、前記履歴データから統計的方法により当該配電盤の異常原因の判定を行い故障部位の判定結果、又は故障部位の候補に関わる情報を生成して前記点検用端末に送信する制御をおこなう制御手段とを備えることを特徴とする配電盤点検システム。
【請求項２】
前記位置情報取得手段は、ＧＰＳ受信機であり、
前記制御手段は、前記ＧＰＳ受信機が取得し前記送信された位置情報と、前記データベース手段が記憶する配電盤が設置された位置情報とを照合し、両位置情報が一致する配電盤を点検中の配電盤と特定することを特徴とする請求項１記載の配電盤点検システム。
【請求項３】
前記配電盤は、自己に割り当てられた固有の識別情報を示すマークが前記発光素子と共に表示され、
前記点検サーバは、前記画像認識手段により、前記画像情報に含まれる前記マークを判読することにより前記点検用端末が取得した情報の対象である前記配電盤の特定を行うことを特徴とする請求項１記載の配電盤点検システム。
【請求項４】
前記位置情報取得手段は、ＧＰＳ受信機と、前記配電盤に表示される自己に割り当てられた固有の識別情報を示すマークおよび前記画像撮影手段とからなり、
前記制御手段は、前記ＧＰＳ受信機が取得し前記送信された位置情報と、前記データベース手段が記憶する配電盤が設置された位置情報とを照合し、ＧＰＳにより取得された位置情報から複数の配電盤が点検した候補となった場合、さらに前記画像認識手段により、前記画像情報に含まれる前記マークを判読することにより前記点検用端末が取得した情報の対象である前記配電盤の特定を行うことを特徴とする請求項１記載の配電盤点検システム。
【請求項５】
前記点検サーバは、前記配電盤の異常に関わるアラームに伴う配電盤の識別情報、又は外部からの識別情報により、点検すべき配電盤を指定する情報を前記点検用端末に送信し、
その指定に対応して前記点検用端末から送信された位置情報から特定した配電盤と照合し、一致しない場合、再点検を促す情報を前記点検用端末に送信し、
前記再点検を促す情報を受信した点検用端末は、その再点検を促すメッセージを前記入出力手段のディスプレイに表示する
ことを特徴とする請求項２乃至４の何れか１つに記載の配電盤点検システム。
【請求項６】
前記点検サーバは、前記画像認識手段により、前記点検用端末から受信した前記画像情報の発光素子の発光状態を抽出して自己点検情報を判読し、前記データベース手段が記憶する前記発光状態に対応する自己点検情報から故障部位を特定する系統的分類と点検対象となる配電盤毎の故障履歴とを比較参照して故障部位とを特定することを特徴とする請求項１記載の配電盤点検システム。
【発明の詳細な説明】
【技術分野】
【０００１】
本発明は、電力、産業、交通分野で広く使用されており、受変電用主回路の操作機能を備え、定期的な点検を必要とする屋内配電盤、野外自立盤等の事業場内に複数設置された配電盤の配電盤点検システムに関する。
【背景技術】
【０００２】
プラント工場等では、多数、多種の装置設備を収容した配電盤が事業場内の各所に設置され稼働している。これらの各装置設備は、配電盤を介して遠隔監視されているもの、遠隔監視されていないものがあるが、遠隔監視をしている装置であっても、点検員が各装置の配電盤の定期点検を行い、装置、配電盤等の異常発生時には現場で配電盤を点検する保守作業等が行われる。
【０００３】
従来の配電盤点検は、メータや表示灯を点検することにより動作状態を確認し、点検員の経験と知識による異常内容の判定、修理判断に依存する部分が多く見られた。
【０００４】
例えば、アラーム点灯やモニタランプで異常が示された場合は、点検員の判断により、一次診断を行い、異常部位の特定を行っていた。
【０００５】
また、定期点検は、システムの異常を早期に検出したり、同類多発異常の発生を未然に防ぐために有用な手段であるが、定期点検の結果は紙ベースのチェックリスト等にまとめられることが多いため、過去の点検データを異常の発生や、故障部位の特定に活用することが不十分であった。
【０００６】
また、点検員が監視点検した装置は、たとえば、ＯＯ号機のようにそれぞれがどの場所に設置された装置であるかを判定する為の識別番号等が付与されているが、装置番号が機材に表示されていないものがある、表示の読み違い、点検時や監視データの記録時の誤記入などに起因するデータ記録ミスが発生する問題があった。
【０００７】
特許文献１には、保守作業現場の実務担当者（点検員）の作業を支援することができる保守作業支援システムが示され、これは保守現場で撮影された保守対象機器の画像情報及び問い合わせ情報を保守作業支援用コンピュータに送信し、保守支援用コンピュータは部品図面データベース又は点検記録データベースから保守作業支援に必要とするデータを保守作業現場のコンピュータに送信するものである。しかし、故障部品の交換手順等を指示するマニュアル手段に過ぎず、故障部位を特定する支援を行うものでは無い。
【特許文献１】特開２００２−１３２３３３
【発明の開示】
【発明が解決しようとする課題】
【０００８】
本発明は、点検員が不慣れな装置であっても、容易に故障部位を特定可能な配電盤点検システムを提供することを目的とする。
【課題を解決するための手段】
【０００９】
前記目的を達成するため請求項１に対応する発明は、ネットワークを介して点検サーバとの間で点検に関わる情報を通信する点検用端末と、前記点検に関わる情報を送受信して、配電盤の点検に関わる情報処理を行う点検サーバとを備えて事業場内に設置される装置のそれぞれに対応して監視制御を行う複数の配電盤を点検する配電盤点検システムにおいて、
前記点検用端末は、それぞれ対応する前記装置の動作状態の自己測定結果が発光素子により表示される配電盤と、位置情報取得手段と、画像撮影手段と、前記点検サーバとの間で前記情報を通信する通信手段と、入出力手段とを備え、前記位置情報取得手段で取得した位置情報と、前記画像撮影手段により撮影された配電盤の画像情報とを前記通信手段により前記点検サーバへ送信するものであり、前記点検サーバは、画像認識手段と、前記各配電盤をそれぞれ固有の識別情報により管理して情報処理を行うデータベース手段と、前記点検用端末から受信する位置情報と、前記データベース手段に記憶している前記固有の配電盤の識別情報を照合して受信する前記画像情報が送信された配電盤を特定すると共に、前記画像情報から前記画像認識手段により当該配電盤の発光素子の点滅状態を抽出判読し、その判読結果と前記データベース手段が予め履歴データとして記憶している発光素子の点滅状態と前記配電盤に対応した動作状態との関係とを比較照合し、異常と判定する場合、その点滅状態から一義的に異常原因を特定できなくとも、前記履歴データから統計的方法により当該配電盤の異常原因の判定を行い故障部位の判定結果、又は故障部位の候補に関わる情報を生成して前記点検用端末に送信する制御をおこなう制御手段とを備える配電盤点検システムである。
【発明の効果】
【００１０】
点検員が不慣れな装置であっても、容易に故障部位を特定可能な配電盤点検システムを提供することができる。
【発明を実施するための最良の形態】
【００１１】
図１は、本発明の実施形態に関わる配電盤点検システムの構成を示す機能ブロック図である。
【００１２】
図１において配電盤点検システムは、点検員が携行する装置であって、例えば電子カメラ１２と例えばＧＰＳ受信機１１と、データ通信手段１４等を備える点検用端末１と、点検用端末１とデータを送受信し、データベース手段３１によって保守点検の支援に関わる情報処理を行う点検サーバ３と、点検用端末１と点検サーバ３との間で送受信される信号を伝送するネットワーク２とを備え、配電盤４１〜４ｎ（ｎは、自然数、但し各配電盤で共通の事項は、必要の無い限り以下配電盤４と省略して説明する。）の動作状態を点検する。
【００１３】
図２は、配電盤４のパネル表示の一例を示す外観図である。
【００１４】
配電盤４は、自己試験回路、モニタ回路等（図示せず。）を備え、所定の自己点検をしている。図２において、配電盤４のパネル（前面）にはＬＥＤ（ここでは、ランプＬ１〜Ｌ９）表示、簡単なメータｍ、又はニューメリックａｎ表示（図示せず。）程度の簡単な表示が行われる。
【００１５】
即ち、当該配電盤４が制御、モニタする基板やユニットの故障部位特定、更にはその内部の詳細な動作データ、故障アラームまでの詳細表示は行われないが、構成や機能に対してグループ化、もしくは統合化したデータがランプ等で表示される。また、点検員が必要に応じて所定の計測器を接続して計測値を測定するための測定端子（ここでは、ＴＰ１）が設けられることもある。
【００１６】
また、配電盤４のパネル（必要で有れば、各ユニット前面）に、バーコード、番号等で各配電盤４１〜４ｎを特定できる識別マークＮが取り付けられている。これは、後述の画像認識により配電盤４１〜４ｎの何れかである識別情報を判読するものである。その結果、ＧＰＳ電波が受信できない場合、又は、隣接して複数の配電盤が設置されているためＧＰＳ受信機の位置情報のみでは各配電盤４を特定できない場合でも自動的に配電盤４を１台毎に特定可能な様に設けられる。
【００１７】
従来は、ベテランの操作員が経験と勘によりこれらのパネルに表示されたデータ、また測定によって当該配電盤４の故障部位等を特定していることが多く、習熟度の低い操作員の保守点検や、緊急点検では操作に手間取るか、誤測定が発生する等の問題があった。
【００１８】
点検用端末１は、内部バスやＩ／Ｏインタフェース等の接続手段によりそれぞれの間が接続される送受信ＧＰＳ受信機１１と電子カメラ１２、ディスプレイとキーボードの様な入出力手段１３、およびデータ通信手段１４を持つパーソナルコンピュータ又は、ハンディターミナルの様な個人情報端末であるか、もしくはＧＰＳ受信機１１と電子カメラ１２（撮影手段）、入出力手段１３およびデータ通信手段１４を持つ携帯電話端末の様なものである。
【００１９】
ネットワーク２は、例えば、携帯電話システムのデータ通信によるパケット通信網の様に、点検用端末１の移動体とセンター等に置かれる情報処理システムとして機能する点検サーバ３との間で信号伝送を行う通信網である。
【００２０】
点検サーバ３は、ネットワーク２を介して点検用端末１との間で通信を行う通信手段３３と、各配電盤４および各配電盤４が収容している装置に関わる点検データ及び修理処理記録を履歴データとして内部記憶手段に記憶して管理するデータベース手段３１と、データベース手段３１から読み出したデータと点検用端末１から受信したデータとを比較照合し、データベース手段３１による統計処理を行い、故障判定結果、修復方法等の情報を通信手段３３を介して点検用端末へ出力する制御を行う制御手段例えばＣＰＵ（中央制御装置）３２、点検用端末１から受信する画像情報から、各ランプの点滅状態等を認識して抽出する画像認識手段３４、監視点検に必要なデータ等を入出力、表示する入出力手段３５とを備えている。
【００２１】
画像認識手段３４は、画像情報からランプ点滅状態を抽出するのみでなく、基板識別マークをバーコード読み取り、又は文字認識等の方法により、撮影対象が各配電盤４１〜４ｎの何れかで有るかを判読することが可能になっている。
【００２２】
これらの点検サーバ３の各構成の間は、内部バス等で接続されて各構成間で信号を授受しており、ＣＰＵ３２は、内部バス等を監視することにより各構成の動作を監視制御する。
【００２３】
点検サーバ３のデータベース手段３１には予め、各配電盤４１〜４ｎの位置情報と各配電盤４の識別情報が対応する様に記憶装置（図示せず）にデータベースとして記憶されている。点検員を派遣する場合、入出力手段３５から入力された監視対象の配電盤４の識別情報が入力されると、データベース手段３１が記憶している地図情報にこの位置情報を重畳して点検案内情報として点検用端末１へ送信する。
【００２４】
また、過去の配電盤４の測定時における各装置、機器の状態が検査履歴としてテーブルＴ１に編集され、データベース手段３１の記憶装置へ記憶されており、各配電盤４１〜４ｎのランプの点滅状態とそれに対応する機器動作がデータベース手段３１で検索可能になっている。
【００２５】
言い換えれば、点検サーバ３のデータベース手段３１の記憶装置には、各配電盤４１〜４ｎの位置と、各配電盤４１〜４ｎの表示に対応して全配電盤が収容する機器動作状態、故障履歴や、修理履歴が保守履歴としてデータベース化されて記憶されている。
【００２６】
データベース手段３１は、例えば、どの配電盤４１〜４ｎのフロントパネルのどのランプが点灯している場合に、どの部品（基板、ユニット）が故障しているかを検索可能になる様に設計情報及び過去の測定データが入力されており、配電盤４の点検整備に関わる情報を統計的に管理している。
【００２７】
例えば、ユニットの故障を示すモニタランプ１Ａが点灯していることについて、各配電盤４１〜４ｎの各ユニット故障履歴が記憶され、配電盤４全体では、ユニット＃２が故障している場合（例えば、ユニット＃１は、３０件に対し＃２は、５０件）が多いが、配電盤４１では、ユニット＃１の故障が７件、＃２が４件と＃１の方が多く、点検・修理方法としてユニット１を交換した回数が３回、スイッチリセット４回等の情報が記入されている。
【００２８】
また、ランプ点灯の組合せなどにより、故障モードが分類記憶され、各故障モードに対応する修理手段等もデータベース手段３１に記憶されている。
【００２９】
図３及び図４は、配電盤点検システムの動作手順を示すフローチャートである。
【００３０】
配電盤点検は、定期点検の他、配電盤４からのアラームにより点検員が現場に駆けつけて点検する場合があり、ここでは、配電盤４全体については、装置動作や操作手順に付いての基本的な知識は有るが、修理、各装置の動作の癖の様な動作履歴等に習熟していない点検員が行う緊急点検を例に動作を説明する。
【００３１】
今、図１の配電盤４１から点検を必要とする機器異常のアラームが点検サーバ３に通知され、該当機器の動作点検に、当番の点検員が点検用端末１を持参して駆けつける。
【００３２】
点検サーバ３には、図示されない遠隔監視システムから点検すべきアラームが、配電盤の識別情報（配電盤番号等）「４１」と共に通信手段３３等を介して自動的に入力されるか、点検サーバ３が置かれているセンターのオペレータから入出力手段３５等を介して入力され、ＣＰＵ３２が点検動作の状態監視の制御を開始する（ステップＳ１）。
【００３３】
配電盤４からのアラームを受信した点検サーバ３は、アラームを受信した配電盤４１を点検する点検通知を点検用端末１に送信する。この時、点検サーバ３のオペレータにより、入出力手段３５に点検員に対して配電盤４１への案内を、点検用端末１のディスプレイ上に地図と共に表示し、ＧＰＳ受信機１１により取得した現在位置を表示するコマンドとして、例えば「ＧＵＩＤＥ＃４１」が入力される（ステップＳ２）。
【００３４】
ＣＰＵ３２は、データベース手段３１から配電盤４１の位置を示す地図情報を通信手段３３を介して点検用端末１へ送信する。点検用端末１は、この情報を元に、ディスプレイ上へ、配電盤４１の設置場所とＧＰＳ受信機１１からの位置情報により現在位置とを地図表示し（ステップＳ３）、点検員は、その案内を元に配電盤４１の設置場所へ到着する。
【００３５】
配電盤４１に到着した点検員により、点検用端末１の電子カメラ（撮影手段）１２が点検箇所を具体的には配電盤４１のフロントパネルが撮影される（ステップＳ４）。配電盤の識別マークや、ランプの点灯状態が画像情報として取得される。ＧＰＳ受信機１１によりこの撮影タイミングの時刻、位置情報（緯度、経度）、が取得され、通信手段１４から、画像情報と共にネットワーク２を介して点検サーバ３へ点検情報として送信される（ステップＳ５）。
【００３６】
また、この点検情報には、画像情報等と共に入出力手段１３から操作員によって入力される所要のデータが点検情報に含まれて、点検サーバ３へ送信される。このデータは、例えば、ランプの点灯番号、配電盤番号や必要ならばメータ数値等が含まれる。
【００３７】
点検用端末１からネットワーク２と通信手段３３を介して点検情報を受信した点検サーバ３は、受信した情報のうちＧＰＳ受信機によって取得された位置情報（例えば、ＮＯＯ°ＸＸ分ＹＹ秒）を読み出して、データベース手段３１が記憶している配電盤４１の識別情報（番号「４１」）の位置情報を照合確認する（ステップＳ６）。
【００３８】
点検サーバ３のＣＰＵ３２は、識別情報と点検すべき４１がＮＯＯ°ＸＸ分ＹＹ秒と一致するかを確認する（ステップＳ７）。しない場合は（ステップＳ７がＮｏ）、誤った配電盤、例えば「４４」を点検しているので正しく配電盤４１を点検する警告をネットワーク２を介して点検用端末１へ通知する（ステップＳ７―１）。
【００３９】
その警告は、入出力手段１３のディスプレイ等によるアラームになって操作員へ表示され、正しい配電盤４１で再撮影が行われ、点検データが送信される（ステップＳ４）。
【００４０】
一致する場合（ステップＳ７がＹｅｓ）、ＧＰＳの位置情報から抽出した識別情報による配電盤番号と点検員によって入力された配電盤番号とを更に照合して一致する場合（ステップＳ８がＹｅｓ）、更に続いて送信された画像情報から、測定データを画像認識により抽出して所定のデータベースに登録する形式のテーブルＴ２にしてデータ整理を行う（ステップＳ９）。
【００４１】
図５は、ステップＳ７において隣接する配電盤の選別確認手順を示すフローチャートである。
【００４２】
また、例えば、配電盤４１と配電盤４２とが隣り合って設置されている様な場合、ＧＰＳ受信機１１により取得した位置情報から、同じ緯度、経度位置にある２台の配電盤４１、４２の２つが点検対象として特定する候補としてデータベース手段３１から読み出される（ステップＳ７ａがＹｅｓ）。
【００４３】
ＣＰＵ３２は、その場合、さらに受信した撮影画像の画像認識により判読した配電盤４１のマークを読み出して判読した（ステップＳ７ｂ）識別情報「４１」により、現在点検員が点検中の配電盤４が配電盤４１で有ることを分別し、ＧＰＳ位置情報と配電盤４１の位置情報が一致するかを特定確認する（ステップＳ７ｃ）。
【００４４】
再び、図３及び図４へ戻る。もし、識別情報と点検員により入力された配電盤の番号が一致しない場合、（ステップＳ８がＮｏ）、ＣＰＵ３２は、誤った配電盤４を点検していることをネットワークを介して点検用端末１の入出力手段１３を介してアラームを出力して操作員へ配電盤４１の識別情報が誤入力で有るメッセージを通知して、配電盤番号の修正を促し誤入力が点検員により修正される（ステップＳ８―１）。
【００４５】
また、ＣＰＵ３２は、受信した操作員が入力したデータを含む点検データをＴ１に照合可能なテーブルＴ２に編集し、両テーブルのデータが所定の精度で一致するかどうかを調べ（ステップＳ９）、一致する場合（ステップＳ１０がＹｅｓ）、新たにそのデータをデータベース手段３１のテーブルＴ２へ書き込み記録する（ステップＳ１１）。
【００４６】
この確認は、メータ読み取りにおいて有効である。例えば、ランプＬ２が点灯している場合、メータ数値は、正常値「５」に対して、異常時は「３以下」であるデータがデータベースに記憶されている。ところが、点検員からのメータ読み取りデータが「４」で有った様な場合（ステップＳ１０がＮｏ）、ＣＰＵ３２は、点検員に対して再測定を促すメッセージを生成して点検用端末１へ送信し、点検用端末１から再測定データを送信する（ステップＳ１０−１、Ｓ１０―２）。そして、受信した再測定データを許容範囲で有るか否かに対応して、新たな正常か、又は、異常発生時のデータとしてデータベース手段３１のテーブルＴ２へ追加履歴とするため書き込み記録（ステップＳ１１）する。
【００４７】
なお、点検員によりデータ入力を省略し、電子カメラ１２で撮影した画像によってのみデータを取得する様にしてもよい。以上の方法では、簡便にデータ入力が可能でかつ誤記入や、ご測定を行い取得データの脱落も防ぐことができる。
【００４８】
ＣＰＵ３２は、前述のテーブルＴ２を作製の終了が済むと、直ちにこのテーブルＴ１とテーブルＴ２との照合を開始する（ステップＳ１２）。データベースとして、どのユニットのどのランプが故障した場合には、テーブルＴ１では、過去にどのユニットが故障していたかの履歴が記録されているので、現在のランプ点灯の状態と照合すれば、故障モードとその点検・修理方法を検索、抽出できる。この故障モードは、データベース手段３１のテーブルＴ３としてテーブルＴ１に紐付けられて編集、記憶されている。
【００４９】
図６は、ランプ点灯と故障モードの対応を整理したデータベースのテーブルＴ３である。
【００５０】
図６において、例えば、ランプＬ１とランプＬ３が同時点灯している場合、故障モードＡと分類し、修理方法の候補Ａ−１として、ユニット＃１のリセットを行う等である。
【００５１】
続いてＣＰＵ３２は、新たに取得したデータテーブルＴ２とデータベース手段３１から過去の点検結果のデータ、即ちテーブルＴ３を読み出して比較照合し予め設定されたプログラムによる確率的な統計処理を行う。そして先に述べた様に、例えば、各配電盤４におけるランプの点灯状態から、当該配電盤４１において一番故障又は修理等が必要な故障部位を判定するか、または、故障可能性のある部位の候補を作製する（ステップＳ１３）。
【００５２】
ＣＰＵ３２は、最初にランプの点灯状態の組合せによる故障部位の判定に加え、所定のプログラムにより更にデータベース手段３１のテーブルＴ１で記憶している履歴データから、故障部位を判定する為のデータを検索し、追加測定に必要なデータを点検用端末１に送信し、必要で有ればそのデータを入出力手段１３を介して取得し、返送させる制御を実施する。
【００５３】
言い換えれば、点検サーバ３は、テーブルＴ３によるランプの点滅の組合せに対応して、故障箇所を分離抽出する系統的な仕分けを行ったデータを記憶し、また各配電盤４１〜４ｎのランプの点滅状態で示される故障モードに対応して前記仕分けの内どの部分が故障していたかの履歴、統計的データを記憶しておき、その仕分けデータと履歴データとを照合、参照して故障モードを更に細分化、履歴と係類させて当該配電盤の故障部位、例えば、ユニット、基板、定期交換部品等を特定する。
【００５４】
例えば、ランプＬ１とＬ３が点灯している場合は、故障モードＡで有るが、その場合、図示しないユニットＵ１とＵ３の何れか、又はその一方が故障するか、ユニットＵ１とＵ２からの信号を加算して処理するＵ５の何れかが故障していることを仕分けデータとして記憶する。
【００５５】
また、配電盤４１では、修理履歴として故障モードＡの場合、ユニットＵ１は故障したことが無いが、ユニットＵ３が３回、ユニットＵ５が１回故障していることを履歴データとして記憶している。そこで、ＣＰＵ３２は、各故障発生間隔のデータを更に調べると、ユニットＵ３が３ヶ月に１回リセットを行っていることから、今回も同じ可能性が高いと判断して、ユニットＵ３故障と判定する、といった手順で故障判定を行う。
【００５６】
即ち、ＣＰＵ３２は、当該配電盤４１と、他の配電盤４２〜４ｎで発生したトラブルデータからそして故障部位の候補が作製され、故障部位の特定のため更に追加データが不要とＣＰＵ３２が判定したとする（ステップＳ１４がＮｏ）場合、故障部位の判定結果を点検用端末１へネットワークを介して送信する（ステップＳ１５）。
【００５７】
また、追加データが必要とＣＰＵ３２が判定したとする（ステップＳ１４がＹｅｓ）場合、故障部位の候補（ここでは、ユニットＵ３、Ｕ５）を生成して点検用端末１へネットワークを介して送信する（ステップＳ１６）。その場合、予め設定された手順により、更に配電盤４１上のユニット３の動作確認をするスイッチやダイヤル等を操作する追加点検作業情報をデータベース手段３１から読み出して点検用端末１へ送信（ステップＳ１７）する。
【００５８】
点検サーバ３から、点検用端末１に判定結果、又は故障部位の候補が送信されてきた場合、点検用端末１の入出力手段１３のディスプレイに判定結果、又は候補、追加点検情報を表示する（ステップＳ１８）。
【００５９】
点検用端末１では、追加点検情報に応じた点検データ、例えば、点検ポイントＴＰ１の電圧を測定したデータを点検サーバ３へ返送する（ステップＳ１９）。点検サーバ３は、受信した追加点検データがステップＳ１２によりテーブルＴ１等と比較照合され、それによって得た判定結果、例えば、ユニットＵ３が故障として点検用端末１に通知される（ステップＳ１６）
なお、ステップＳ１８により点検員が表示を判読し、更に点検にデータが必要であれば入出力手段１３により所定の読み出しコマンド、もしくは、そのディスプレイに表示されるＷｅｂ入力画面等によってデータベース手段３１から所要の修理又は、追加点検のデータを読み出す要求を点検サーバ３へ送信する。
【００６０】
そして、点検サーバ３のＣＰＵ３２は、通信手段３３を介してこのコマンド、又はデータ要求を受信すると、それに対応した故障判定や修理方法、又は修理に関わる履歴データをデータベース手段３１から読み出し、追加点検情報として点検用端末１へ送信する。点検用端末１では、ステップＳ１８、Ｓ１９が実行される。以上の様な点検、故障判定を行い、必要に応じて、リセット、修理等が実行される（Ｓ２０）。
【００６１】
以上の説明では、アラームに対応する緊急作業を例に取って説明したが、定期点検等でも同様の効果が得られる。例えば、点検対象の配電盤４１を正しく確認して巡回測定をすることを支援できる。
【００６２】
また、ＣＰＵ３２は、画像認識による点検で取得したデータを、予めデータベース手段３１に記憶している基準値と比較照合して、異常値である場合には、測定データを統計データとして追加処理を行うのみならず、新たなアラームを発生する様にしてもよい。
【００６３】
以上述べた本発明の実施形態によれば次のような効果が得られる。
【００６４】
ＧＰＳ受信機１１で取得した配電盤４の位置情報とデータベースを参照することによって、又はＧＰＳ受信機１１では特定できない場合に画像認識した配電盤の識別マークから判読した配電盤の識別情報により点検中の配電盤を正しく特定することが可能である。
【００６５】
画像認識により配電盤からデータ取得が行われる為、点検員の誤記入や点検漏れの発生が防止される。また点検用端末１から取得したデータと点検サーバ３のデータベースの過去データとを照合比較することにより故障部位の判定結果、又は故障部位の候補を点検員へ送信することが可能であるため、点検員による判定ミスの発生を防ぐことができる。
【００６６】
また、データベースから読み出した他の配電盤で発生したトラブル情報から、点検員に必要な追加情報等を精製して点検サーバ３から点検用端末１へ送信することにより故障部位判定を支援することができる。
【００６７】
少ない項目の点検データを画像認識により点検員に負担をかけることなく取得し、故障部位判定に必要で有ればその取得データから更に追加測定を点検用端末１を介して操作員に促して、段階的にデータを取得することが可能である。
【図面の簡単な説明】
【００６８】
【図１】本発明の実施形態に関わる配電盤点検システムの構成を示す機能ブロック図。
【図２】配電盤のパネル表示の一例を示す外観図。
【図３】配電盤点検システムの動作手順を示すフローチャート。
【図４】図３と隣接した配電盤点検システムの動作手順を示すフローチャート。
【図５】隣接した配電盤の判別確認手順を示すフローチャート。
【図６】ランプ点灯と故障モードの対応を整理したデータベースのテーブルＴ３。
【符号の説明】
【００６９】
１…点検用端末、２…ネットワーク、３…点検サーバ、４（４１〜４ｎ）…配電盤
１１…ＧＰＳ受信機、１２…電子カメラ、１３…入出力手段、１４…データ通信手段、３１…データベース手段、３２…ＣＰＵ、３３…通信手段、３４…画像認識手段、３５…入出力手段。
【図１】
2010165321.tif 000003
【図２】
2010165321.tif 000004
【図３】
2010165321.tif 000005
【図４】
2010165321.tif 000006
【図５】
2010165321.tif 000007
【図６】
2010165321.tif 000008